(57)【特許請求の範囲】
【請求項１】
クランプ装置と前記クランプ装置を支持する支持構成とを備える固定アセンブリであって、
前記クランプ装置は、本体と、前記本体中のクランプ構成と、前記本体上の第１の協同構成とを備え、
前記本体は、前面、背面、及び両端を有し、前記前面及び背面は前記両端の間に伸長しており、
前記本体は、柔軟な細長い部材に対して貫通路を規定し、前記本体は、前記貫通路に向かって伸長するガイド構造を含み、
前記クランプ構成は、前記貫通路中に前記柔軟な細長い部材をクランプするための、前記貫通路に向かって前記ガイド構造に沿って移動可能なクランプ部材を備え、前記クランプ構成は、前記貫通路に向かって前記クランプ部材を付勢するための付勢部材をさらに含み、  前記固定アセンブリは、前記クランプ構成によってクランプされることができる前記柔軟な細長い部材をさらに含み、
前記支持構成は、第２の協同構成を備え、前記第１の協同構成が前記クランプ装置を支持するための前記第２の協同構成と協同でき、
前記第１の協同構成は、収容構造を備え、前記第２の協同構成は、フック部を備え、
前記フック部は、前記第１の協同構成を保持するための対向凹部を規定しており、
前記収容構造は、一対の対向側部と、前記対向側部間に伸長する架橋部とを備え、前記対向側部は前記背面に取り付けられており、
前記架橋部は前記背面に沿って伸長している、固定アセンブリ。
【請求項２】
前記支持構成は、支持部材上に、上下に構成された複数の前記第２の協同構成を備える、請求項１に記載の固定アセンブリ。
【請求項３】
前記一対の対向側部と前記架橋部は、前記第２の協同構成を収容するための開口を規定する、実質的にＵ字形の部材を構成する、請求項１又は２に記載の固定アセンブリ。
【請求項４】
前記本体は、前記貫通路と通じる空間を規定し、前記ガイド構造は、前記空間に沿って伸張する前記空間の壁を構成し、前記ガイド構造は、前記貫通路に対して傾斜しており、  前記本体は係合壁を備え、前記貫通路は前記係合壁に沿って伸長し、前記クランプ部材は、前記係合壁に対して前記細長い部材をクランプするように、前記係合壁に向かって付勢手段によって付勢されている、請求項１から３のいずれか１項に記載の固定アセンブリ。
【請求項５】
前記支持構成は、支持部材と前記支持部材上の前記第２の協同構成の少なくとも１つを備える、請求項１から４のいずれか一項に記載の固定アセンブリ。
【請求項６】
前記支持構成は、据え付け部材を備え、前記第２の協同構成は、前記据え付け部材上に設けられ、前記据え付け部材は支持部材に締結されることができる、請求項１から５のいずれか一項に記載の固定アセンブリ。
【請求項７】
破損から前記細長い部材を保護するための保護装置をさらに含み、
前記保護装置は、主要部と、溝構成を通して前記細長い部材を収容するための前記主要部上の溝構成とを備える、請求項１から６のいずれか一項に記載の固定アセンブリ。
【請求項８】
前記溝構成は、前記細長い部材の第１の領域を収容するための第１の溝部と、
前記細長い部材の第２の領域を収容するための第２の溝部を備える、請求項７に記載の固定アセンブリ。
【請求項９】
前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、請求項８に記載の固定アセンブリ。
【請求項１０】
前記第１及び第２の溝部は互いに整列され、
前記第１の溝部は、その間に間隙を規定するように前記第２の溝部から間を空けている、請求項８又は９に記載の固定アセンブリ。
【請求項１１】
前記固定アセンブリは、２つの端支持構成の間に複数の中間支持構成を備え、さらに複数の前記保護装置を含み、各保護装置は、前記細長い部材をそれぞれの支持構成に固定する、請求項７から１０のいずれか一項に記載の固定アセンブリ。
【請求項１２】
請求項１に記載の固定アセンブリを使用する方法において、前記方法は、
細長い部材とクランプ装置を提供することと、
前記クランプ装置を前記細長い部材の一端領域に固定することと、
垂直アレイ中で構成された複数の第２の協同構成を有する支持構成を提供することと、  前記第１及び選択した第２の協同構成間の協同をもたらすことにより、前記第２の協同構成のうちの選択した１つの上で前記クランプ装置を支持することと、
前記第１及び他の選択した第２の協同構成間の協同をもたらすことにより、前記クランプ装置を別の選択した第２の協同構成に動かすこととを備える、方法。
【請求項１３】
前記方法は、２つのクランプ装置を提供することと、
前記細長い部材のそれぞれの対向端領域において、各クランプ装置を固定することとを備え、
各クランプ装置は、それぞれ第１の協同構成を有する、請求項１２に記載の方法。
【請求項１４】
前記方法は、２つの支持構成を提供することと、ここで、それぞれの支持構成は、垂直アレイで構成された複数の前記第２の協同構成を有し、
前記それぞれの第１及び選択した第２の協同構成間の協同をもたらすことにより、前記それぞれの支持構成の前記第２の協同構成のうちの選択した１つの上で各クランプ装置を支持することとを備える、請求項１３に記載の方法。
【請求項１５】
前記方法は、前記第１及び選択したさらなる第２の協同構成の間の協同をもたらすことにより、それぞれの選択したさらなる第２の協同構成上で各クランプ装置を支持するために、各クランプ装置を前記選択したさらなる第２の協同構成に動かすことを備える、請求項１３又は１４に記載の方法。
【請求項１６】
前記方法は、破損から前記細長い部材を保護するための保護装置を提供することを備え、
前記保護装置は、主要部と、溝構成を通して前記細長い部材を収容するための前記主要部上の溝構成とを備える、請求項１２から１５のいずれか一項に記載の方法。
【請求項１７】
前記溝構成は、前記細長い部材の第１の領域を収容するための第１の溝部と、前記細長い部材の第２の領域を収容するための第２の溝部を備え、
前記第１の溝部は、前記細長い部材の前記第１の領域を収容するために、前記主要部の第１の側に沿って第１の細長い開きを有し、前記第２の溝部は、前記細長い部材の前記第１の領域を収容するために、前記主要部の第２の側である対向側に沿って第２の細長い開きを有し、前記第１及び第２の細長い開きは、反対方向に面している、請求項１６に記載の方法。
【請求項１８】
前記第１及び第２の溝部は互いに整列され、
前記第１の溝部は、その間に間隙を規定するように前記第２の溝部から間を空けている、請求項１７に記載の方法。
【請求項１９】
前記方法は、
複数の前記保護装置を提供することと、前記保護装置を前記細長い部材の空間を空けた領域に据え付けることと、複数の中間支持構成を提供することとを備え、
それぞれの中間支持構成は、垂直アレイで構成された複数の前記第２の協同構成を有し、前記方法は、さらに、それぞれの第１及び前記選択した第２の協同構成間の協同をもたらすことにより、前記それぞれの中間支持構成の前記第２の協同構成のうちの選択した１つの上で各保護装置を支持することを含む、請求項１７又は１８に記載の方法。
【請求項２０】
前記方法は、前記第１及び選択したさらなる第２の協同構成の間の協同をもたらすことにより、それぞれの選択したさらなる第２の協同構成上で各保護装置を支持するために、各保護装置を前記選択したさらなる第２の協同構成に動かすことをさらに含む、請求項１９に記載の方法。
【発明の詳細な説明】
【技術分野】
【０００１】
本発明は、クランプ装置に関する。本発明はまた、クランプ装置を備える固定アセンブリに関する。本発明はまた、保護装置に関する。
【背景技術】
【０００２】
ブドウ園において、ブドウの木は、支柱間に伸長するワイヤによって支持される。ケーブルは、成長サイクルの段階に依存して、これらを上げる又は下げることができるようにする方法で、支柱上に保持される。しかしながら、現在のシステムでは、ワイヤに対する支持を、及び、ワイヤ自体を破損することがある。
【発明の概要】
【０００３】
本発明の一態様によると、本体と、柔軟な細長い部材をクランプするための本体中のクランプ構成と、第２の協同構成と協同するための第１の協同構成とが設けられ、前記第２の協同構成は、クランプ装置を支持するための支持構成の一部である。
【０００４】
本発明の別の態様によると、本体と、本体中のクランプ構成と、本体上の第１の協同構成とを有するクランプ装置を備える固定アセンブリが設けられ、固定アセンブリは、クランプ構成によってクランプされることができる柔軟な細長い部材と、クランプ装置を支持するための支持構成とをさらに含み、支持構成は、第２の協同構成を備え、第１の協同構成は、クランプ装置を支持するための第２の協同構成と協同できる。
【０００５】
支持構成は、支持部材上に、上下に構成された複数の第２の協同構成を備えていてよい。
【０００６】
第１及び第２の協同構成のうちの一方は、フック部を備えていてよい。第１及び第２の協同構成のうちの他方は、フック部を収容するための収容構造を備えていてよい。第１の協同構成は、収容構造を備えていてよい。第２の協同構成は、フック部を備えていてよい。
【０００７】
収容構造は、一対の対向側部を備えてよい。収容構造は、側部間に伸長する架橋部を含んでよい。収容構造は、実質的にＵ字形の部材を備えてよい。収容構造は、フック部を収容するためのフック部収容開口を規定してよい。
【０００８】
本体は、細長い部材に対して貫通路を規定してよい。ガイド構造は、貫通路に向かって伸張してよい。クランプ構成は、貫通路中に細長い部材をクランプするための、貫通路に向かってガイド構造に沿って移動可能であってよいクランプ部材を備えてよい。
【０００９】
本体は、貫通路と通じる空間を規定してよい。ガイド構造は、空間に沿って伸張してよい。ガイド構造は、空間の壁を構成してよい。ガイド構造は、貫通路に対して傾斜してよい。
【００１０】
クランプ構成は、貫通路に向かってクランプ部材を付勢するための付勢部材をさらに含んでよい。
【００１１】
クランプ部材は、円柱の又は球体の部材、あるいはくさび形であってよい。
付勢部材は、圧縮ばねのようなばねを備えてよい。
【００１２】
貫通路は、本体によって設けられてよい係合壁に沿って伸長してよい。クランプ部材は、物品係合壁に向かって付勢手段によって付勢されてよい。クランプ部材は、係合壁に対して細長い部材をクランプするように構成されてよい。
【００１３】
柔軟な細長い部材は、ワイヤ、ワイヤロープ、ケーブル又はこれに類するものであってよい。
【００１４】
第１の実施形態において、支持構成は、支持部材と支持部材上の少なくとも１つの第２の構造とを備えてよい。支持構成は、支持部材上に複数の第２の構造を備えてよい。
【００１５】
複数の第２の構造は、支持部材上に実質的に垂直アレイで構成されてよい。第１の実施形態において、各第２の構造は支持部材により一体的に形成されてよい。支持部材は、支柱を備えてよい。
【００１６】
第２の実施形態において、支持構成は、据え付け部材と据え付け部材上に第２の協同構成とを備えてよい。据え付け部材は、支柱のように、支持部材に締結されることができてよい。
【００１７】
本発明のさらなる態様によると、請求項６に記載の固定アセンブリで使用するための支持構成が設けられ、前記支持構成は、据え付け部材とクランプ装置上で第１の協同構成と協同するための据え付け部材上の第２の協同構成とを備え、据え付け部材は、支持部に締結されることができる。
【００１８】
したがって、第２の実施形態では、複数の支持構成は、支持部材に締結されてよく、複数の支持構成は、支持部材上に実質的に垂直アレイで構成されてよい。支持部材は支柱を備えてよい。
【００１９】
第３の実施形態において、第２の協同構成は、フック部を備えてよい。第２の協同構成は、第１の協同構成を保持するための対向凹部を規定してよい。
【００２０】
第３の実施形態において、支持構成は据え付け部材を備えてよく、第２の協同構成は、据え付け部材から上方向に伸長してよい。第２の協同構成は、据え付け部材の外端から伸長してよい。望ましくは、据え付け部材の外端は、上端である。
【００２１】
本発明の別の態様によると、上述したような固定アセンブリを使用する方法が提供され、前記方法は、細長い部材とクランプ装置を提供することと、クランプ装置を細長い部材の一端領域に固定することと、ここで、クランプ装置は、第１の協同構成を有し、垂直アレイ中で構成された複数の第２の協同構成を有する支持構成を提供することと、第１及び選択した第２の協同構成間の協同をもたらすことにより、第２の協同構成のうちの選択した１つの上でクランプ装置を支持することと、第１及び他の選択した第２の協同構成間の協同をもたらすことにより、クランプ装置を別の選択した第２の協同構成に動かすこととを備える。
【００２２】
方法は、２つのクランプ装置を提供することと、細長い部材のそれぞれの対向端領域において、各クランプ装置を固定することとを備え、各クランプ装置は、それぞれ第１の協同構成を有する。方法は、２つの支持構成を提供することと、ここで、それぞれは、垂直アレイで構成された複数の第２の協同構成を有し、それぞれの第１及び選択した第２の協同構成間の協同をもたらすことにより、それぞれの支持構成の第２の協同構成のうちの選択した１つの上で各クランプ装置を支持することとをさらに備えてよい。
【００２３】
第１及び選択したさらなる第２の協同構成の間の協同をもたらすことにより、それぞれの選択したさらなる第２の協同構成上で各クランプ装置を支持するために、各クランプ装置を選択したさらなる第２の協同構成に動かしてよい。
【００２４】
前述の支持構成は、端支持構成を構成してよい。
【００２５】
固定アセンブリは、破損から細長い部材を保護するための保護装置をさらに含んでよい。固定アセンブリは、端支持構成間に複数の中間支持構成を備えていてよい。固定アセンブリは、複数の保護装置を備えていてよい。各保護装置は、細長い部材をそれぞれの支持構成に固定してよい。
【００２６】
保護装置は、主要部とそれを通して細長い部材を収容するための主要部上の溝構成とを備えてよい。溝構成は、細長い部材の第１の領域を収容するための第１の溝部と、細長い部材の第２の領域を収容するための第２の溝部を備えてよい。
【００２７】
第１及び第２の溝部は互いに整列されてよい。第１の溝部は、その間に間隙を規定するように第２の溝部から空間を空けてよい。
【００２８】
第１の溝部は、細長い部材の前記第１の領域を収容するために、主要部の第１の側に沿って第１の細長い開きを有してよい。第２の溝部は、細長い部材の前記第１の領域を収容するために、主要部の第２の側である対向側に沿って第２の細長い開きを有してよい。第１及び第２の開きは、対向方向に面してよい。
【００２９】
したがって、細長い部材が前述の間隙中に収容されるように、保護装置を細長い部材上に構成することにより、細長い部材の第１の領域が第１の溝部中に収容され、細長い部材の第２の領域が第２の溝部中に収容されるように、保護装置は回転されることができる。
【００３０】
保護装置は、前述の２端支持構成間で、中間支持構成上で第２の協同構成のうちの選択した１つと協同するように、主要部上に第１の協同構成のうちの１つを含んでよい。
【００３１】
本方法は、複数の保護装置を提供することと、保護装置を細長い部材の空間を空けた領域に据え付けることと、複数の中間支持構成を提供することとを備えてよく、それぞれは、垂直アレイで構成された複数の第２の協同構成を有する。
【００３２】
本方法は、それぞれの第１及び選択した第２の協同構成間の協同をもたらすことにより、それぞれの中間支持構成の第２の協同構成のうちの選択した１つの上で各クランプ装置を支持することを含んでよい。
【００３３】
本方法は、第１及び選択したさらなる第２の協同構成の間の協同をもたらすことにより、それぞれの選択したさらなる第２の協同構成上で各保護装置を支持するために、各保護装置を選択したさらなる第２の協同構成に動かすことをさらに含んでよい。
【００３４】
添付の図面を参照して、本発明の実施形態をこれから説明する。
【図面の簡単な説明】
【００３５】
【図１】図１は、クランプ装置と支持構成の第１の実施形態とを示す固定アセンブリの一部の概略図である。
【図２】図２は、支持構成の第２の実施形態を示している。
【図３】図３は、図１中に示すクランプ装置の背面斜視図である。
【図４】図４は、支持構成とクランプ装置の概略図である。
【図５】図５は、固定アセンブリの概略ダイヤグラムである。
【図６】図６は、固定アセンブリの部分である、中間支持構成を示している。
【図７】図７は、保護装置の斜視図である。
【図８】図８は、クランプ装置の断面図である。
【図９】図９は、保護装置の細長い部材上への据え付け及び保護装置の支持構成への取り付けを示す、概略図である。
【図１０】図１０は、保護装置の細長い部材上への据え付け及び保護装置の支持構成への取り付けを示す、概略図である。
【図１１】図１１は、保護装置の細長い部材上への据え付け及び保護装置の支持構成への取り付けを示す、概略図である。
【図１２】図１２は、支持構成の第３の実施形態とクランプ装置を示している。
【図１３】図１３は、支持構成の第３の実施形態上のクランプ装置を示している。
【図１４】図１４は、支持構成の第３の実施形態上のクランプ装置の斜視図である。
【発明を実施するための形態】
【００３６】
図１は、クランプ装置１０と、クランプ装置１０によってクランプされることができる、ケーブル、ワイヤ、ワイヤロープ又はこれに類するものの形態の細長い部材１２とを備える、固定アセンブリ１００の一部を示している。クランプ装置１０は、第１の協同構成３６（図３参照）を含み、これは、以下でより詳細に説明する。
【００３７】
固定アセンブリ１００はさらに、支柱の形態の直立支持部材１６とフック部１８の形態の第２の協同構成とを備える支持構成１４を含んでいる。第１及び第２の協同構成は、クランプ装置１０が支持構成１４上で支持されることができるように、互いに協同する。
【００３８】
複数のフック部１８が支持部材１６上に設けられる。フック部１８は、使用する際に、フック部１８が実質的に垂直アレイになるように、一方が支持部材１６の他方の縦方向上に構成される。支持部材１６は、鋼又はアルミニウムのような適切な金属で形成され、フック部１８は、支持部材１６を形成する素材からプレス加工される又は穴をあけられることにより、支持部材１６と一体化して形成される。
【００３９】
図２は、フック部を一体化して形成することが難しい支持部材２２と共に使用するための、代替の支持構成２０を示している。このような支持部材２２は、木製の支柱の形態であってよい。
【００４０】
代替支持構成２０は、ねじ２６のような適切な締結具によって、支持部材２２に締結された実質的に平らな据え付け部材２４を備える。代替支持構成２０は、フック部の形態でもある、フック部２８をさらに含む。フック部２８は、穴を空ける又はプレス加工することにより、据え付け部材２４と一体化して形成される。複数の代替支持構成２０は、使用する際に、フック部２８が実質的に垂直アレイになるように、一方が支持部材２２の他方の縦方向上にある支持部材２２上に固定されることができる。
【００４１】
フック部１８、２８の目的を以下で説明する。
【００４２】
クランプ装置１０の背面図が、図３中に示されている。クランプ装置１０は、本体３０を備え、その内部には、細長い部材１２をクランプするための、クランプ構成５０（図８参照）がある。
【００４３】
本体３０は、図１中に示す前面３２と、図３中に示す、背面３４とを有する。背面３４には、収容構造の形態で、第１の協同構成３６が設けられている。第１の協同構成３６は、フック部１８又は２８を収容するためのフック部収容開口４０を規定する、実質的にＵ字形部材３８を備える。
【００４４】
Ｕ字形部材３８は、一対の対向側部３８Ａと、対向側部３８Ａ間に伸長する架橋部３８Ｂとを有する。
【００４５】
細長い部材１２がクランプ装置１０によってクランプされるとき、図１中の矢印Ａで示し、図４中に示すように、支持部材１４上のフック部１８のうちの選択された１つがフック部収容開口４０中に収容されるようにクランプ装置１０を構成することによって、クランプ装置１０は支持部材１４上に支持されることができる。支持構成２０が使用されるとき、フック部２８がフック部収容開口４０中に収容されるようにクランプ装置１０を構成することによって、クランプ装置１０は支持部材２２上で支持される。
【００４６】
図８を参照すると、クランプ構成５０を示す、クランプ装置１０の側断面図が示されている。クランプ構成５０は、クランプ部材５４が保持される、本体３０中に規定された溝５２の形態の空間を備える。本体３０はまた、細長い部材１２のための貫通路５５を規定する。
【００４７】
溝５２は、盲端５６を有する。接合部５８は、盲端領域５６にわたって構成される。
【００４８】
クランプ構成５０は、コイル状の圧縮ばね６０の形態の付勢部材をさらに含む。クランプ部材５４は、貫通路５５に向かって矢印Ａによって示される方向に、圧縮ばね６０によって付勢される。圧縮ばね６０は、圧縮ばねに対して反力を提供する接合部５８とクランプ部材５４との間に伸長し、圧縮ばね６０が矢印Ａの方向に、クランプ部材５４を付勢できるようにする。
【００４９】
ここで示す実施形態では、クランプ部材５４は円筒の形態であるが、クランプ部材５４は、他の何らかの適切な形状、例えば球体又はくさび形であってよいことが理解されるだろう。
【００５０】
貫通路５５は、溝５２と本体３０の物品係合壁６２との間に規定される。溝５２は、傾斜ガイド壁６４の形態である傾斜ガイド部材と、貫通路５５との間に規定される。傾斜ガイド壁６４は、１０°と３０°の間の角度で貫通路５５に傾斜している。したがって、クランプ部材５４は、その鋭角で、細長い部材１２に対して付勢される。
【００５１】
貫通路５５は、図８に示すように、それを通して細長い部材１２を収容するように設けられている。細長い部材１２がそこに収容されるとき、及び、以下で説明するように、クランプ部材５４が細長い部材１２に対して締められる前に、細長い部材１２は、矢印Ｂによって示される方向に、貫通路を通して動かされることができる。
【００５２】
細長い部材１２をクランプ装置１０にクランプすることが望ましいときに、細長い部材１２は、矢印Ｂによって示される方向とは反対方向に、通路５５を通して通される。圧縮ばね６０は、細長い部材１２を係合して、クランプ部材５４を保持する。細長い部材１２の前記反対方向への移動により、矢印Ａによって示される方向に、傾斜ガイド壁６４に沿ってクランプ部材５４を移動させる。
【００５３】
したがって、ばね６０の作用とガイド壁６４の傾斜との組み合わせにより、クランプ部材５４は、細長い部材１２に対して付勢される。結果として、細長い部材１２は、細長い部材１２を物品係合壁６２に対して押すクランプ部材５４によって、きつくクランプされる。
【００５４】
細長い部材１２の端部領域１２Ａは、通路５５から伸長する。端部領域１２Ａが離れて確実に保持されるために、保持通路６６は、端部領域１２Ａのうちのいくつかを収容するように、本体３０を通して規定される。
【００５５】
図５は、固定アセンブリ１００の概略図であり、これは、複数の直立支持部材１６を備えている。所望される場合、固定アセンブリは、複数の支持部材２２又は支持部材１６と２２との組み合わせを備えることができる。
【００５６】
複数の支持部材１６は、一対の端支持部材１６Ａと、端支持部材１６Ａの間に互いに隣接して構成される複数の中間支持部材１６Ｂとを備える。図５中に示す実施形態では、固定アセンブリ１００は、４つの中間支持部材１６Ｂを備えるが、他の何らかの適切な数を使用できる。中間支持部材１６Ｂは、端支持部材１６Ａと実質的に同一である。
【００５７】
支持部材１６Ｂのうちの１つは、図６中に示され、複数のフック部１８を備える。細長い部材１２（そのうちの１つのみが図６中に示される）は、フック部１８を通して伸張している。細長い部材１２がフック部１８に対して摩擦し、破損するのを防ぐために、保護装置６８が設けられている。保護装置６８は、図７中に示されている。
【００５８】
保護装置６８は、中央主要部７０と、溝構成７２を通して細長い部材１２を収容するための、主要部７０上の溝構成７２を備えている。溝構成７２は、細長い部材１２の第１の領域を収容するための第１の溝７４Ａを規定する第１の溝部７４と、細長い部材１２の第２の領域を収容するための第２の溝７５Ａを規定する第２の溝部７６とを備えている。
【００５９】
細長い部材１２の第１及び第２の領域が第１及び第２の溝７４Ａ、７６Ａに収容されるとき、細長い部材は、実質的に直線で溝構成を通して伸張するように、第１及び第２の溝７４Ａ、７６Ａは、互いに整列している。第１の溝部７４は、第２の溝部７６から間隔を空け、その間に間隙７８を規定する。
【００６０】
第１の溝部７４は、主要部７０の第１の側に沿った第１の細長い開き８０を有し、細長い部材１２の前記第１の領域を収容する。第１の細長い開きは、第１の溝部７４の長さ全体に伸長している。
【００６１】
第２の溝部７６は、主要部の第２の対向側に沿った第２の細長い開き８２を有し、細長い部材の前記第２の領域を収容する。第２の細長い開き８２は、第２の溝部７６の長さ全体に伸長している。第１及び第２の開き８０、８２は、反対方向に面している。
【００６２】
中間支持構成１６Ｂのうちの１つの上の、フック部１８のうちの選択された１つと協同するように、保護装置６８は、主要部７０上に第１の協同構成３６のうちの１つをさらに含む。主要部７０上の第１の協同構成３６は、フック部１８を収容するための開口４０を規定する。
【００６３】
図９、図１０、図１１を参照すると、溝構成７２が細長い部材１２に対して横に配置されるように、保護装置６８を最初に配置することにより、保護装置６８が細長い部材１２上に据え付けられ、細長い部材１２は、図９中に示すように、間隙７８中に収容される。
【００６４】
次に、図１０に示すように、細長い部材１２の第１の領域が第１の溝部中に７４に収容され、細長い部材１２の第２の領域が第２の溝部７６中に収容されるように、保護装置は、矢印Ｘで示すように、間隙７８の周りを回転する。
【００６５】
図１０中に示すように、保護装置が細長い部材上に構成されるとき、第１の協同構成３６は、フック部から離れて伸長する。保護装置６８をフック部１８に取り付け、及び、それにより、細長い部材１２をフック部１８に固定するために、保護装置６８は、矢印Ｙによって示すように、細長い部材１２の周りを回転できる。フック部１８は、図１１中に示すように、開口４０に収容されることができる。
【００６６】
固定アセンブリ１００は、細長い部材１２のうちの３つを備え、そのぞれぞれは、上記で説明したように、クランプ装置１０によって端支持部材１６Ａに固定される。
【００６７】
細長い部材１２を中央支持部材１６Ｂに固定するために、複数の保護装置６８が細長い部材１２上に据え付けられる。各保護装置６８は、細長い部材１２をそれぞれのフック部１８に固定できる。
【００６８】
固定構成１００は、植物が成長している間、ブドウの木のような植物を支持するために使用される。ブドウの木は、既知の方法で、細長い部材１２に取り付けられる。細長い部材は、上記で説明したように、支持部材１６に固定される。
【００６９】
ブドウの木が成長するに従い、ブドウの木が取り付けられた細長い部材１２が、フック部１８のより低いアレイからより高いアレイに持ち上げられることができる。これは、クランプ装置１０と保護装置６８を、これらが固定されたフック部から取り外し、クランプ装置１０と保護装置６８をより高いフック部１８に移動させることにより、容易に達成することができる。
【００７０】
このように、ブドウの木のような植物の成長の際に支援するために使用される固定アセンブリ１００が説明される。上記で説明した固定アセンブリ１００は、クランプ装置１０の使用が、従来技術のアセンブリよりも、フック部１８からフック部１８まで、より安全でより容易に動かすことができるという利点を有する。
【００７１】
また、本発明は、細長い部材を支持するために、支柱に釘又はねじを使用する必要性を回避する。さらに、これは、フック部に対して摩擦しないので、細長い部材の破損のリスクが低減されることから、保護装置６８の提供は、細長い部材上の摩損が低減されるという利点を提供する。
【００７２】
さらなる利点は、クランプ装置１０及び保護装置６８は、これらが取り付けられた後、細長い部材に適合され、植物をこれらに取り付けることができることである。
【００７３】
本発明の範囲から逸脱することなく、さまざまな修正を行うことができる。修正の一例が、図１２から図１４中に示されており、この中で、さらなる代替支持構成１２０が提供されている。
【００７４】
さらなる代替支持構成１２０は、据え付け部材１２４中に規定された開口１２６を通して挿入された（図１２から１４中に示していない）ねじのような適切な締結具によって、（図１２から１４中に示していない）支持部材２２に締結される据え付け部材１２４を備えている。
【００７５】
支持構成１２０は、据え付け部材１２４から上方に突出するフック部１２８をさらに含む。図１２、１３は、据え付け部材２４の背面１３０を示す、支持構成１２０の背面図である。使用する際に、背面１３０は、支持部材２２を係合する。
【００７６】
フック部１２８は、据え付け部材１２４から前方にオフセットされており、したがって、支持構成１２０が支持部材２２に締結されるとき、フック部１２８と支持部２２との間に間隙が規定される。
【００７７】
フック部１２８は、一対の対向凹部１３２を規定し、細長い部材１２（これも図１２から図１４中に示していない）に張力が適用されたとき、側部３８Ａのうちの１つは、一対の対向凹部１３２のいずれかに収容されることができる。
【００７８】
使用する際に、細長い部材１２のうちの１つは、細長い部材１２をそこに固定するように、クランプ装置１０によってクランプされる。クランプ装置１０は、フック部１２８が開口４０中に収容されるように、フック部１２８を構成することにより、支持構成１２０上で支持される。
【００７９】
その後、側部３８Ａのうちの１つが凹部１３２のうちの１つに収容されるように、クランプ装置を引っ張る効果を有する細長い部材１２は、きつく引っ張られることができ、これにより、支持構成１２０上にクランプ装置１０を固定する。
以下に、出願当初の特許請求の範囲に記載の事項を、そのまま、付記しておく。
［１］  本体と、柔軟な細長い部材をクランプするための前記本体中のクランプ構成と、第２の協同構成と協同するための第１の協同構成とを備えるクランプ装置において、
前記第２の協同構成は、前記クランプ装置を支持するための支持構成の一部であり、
前記第１の協同構成は、一対の対向側部と、前記対向側部間に伸長する架橋部とを備える、クランプ装置。
［２］  前記第１の協同構成は、前記第２の協同構成を収容するための開口を規定する、実質的にＵ字形の部材を備える、［１］に記載のクランプ装置。
［３］  前記本体は、前記細長い部材に対して貫通路を規定し、
前記本体は、前記貫通路に向かって伸長するガイド構造を含み、
前記クランプ構成は、前記貫通路中に前記細長い部材をクランプするための、前記貫通路に向かって前記ガイド構造に沿って移動可能なクランプ部材を備え、
前記クランプ構成は、前記貫通路に向かって前記クランプ部材を付勢するための付勢部材をさらに含む、［１］又は［２］に記載のクランプ装置。
［４］  前記本体は、前記貫通路と通じる空間を規定し、
前記ガイド構造は、前記空間に沿って伸張する前記空間の壁を構成し、
前記ガイド構造は、前記貫通路に対して傾斜している、［３］に記載のクランプ装置。
［５］  前記本体は係合壁を備え、
前記貫通路は前記係合壁に沿って伸長し、
前記クランプ部材は、前記係合壁に対して前記細長い部材をクランプするように、前記係合壁に向かって付勢手段によって付勢される、［３］又は［４］に記載のクランプ装置。
［６］  本体と、前記本体中のクランプ構成と、前記本体上の第１の協同構成とを備える固定アセンブリにおいて、
前記固定アセンブリは、前記クランプ構成によってクランプされることができる柔軟な細長い部材と、クランプ装置を支持するための支持構成とをさらに含み、
前記支持構成は、第２の協同構成を備え、
第１の協同構成は、前記クランプ装置を支持するための前記第２の協同構成と協同できる、固定アセンブリ。
［７］  前記支持構成は、支持部材上に、上下に構成された複数の前記第２の協同構成を備える、［６］に記載の固定アセンブリ。
［８］  前記第１及び第２の協同構成のうちの一方は、フック部を備え、
前記第１及び第２の協同構成のうちの他方は、前記フック部を収容するための収容構造を備える、［６］又は［７］に記載の固定アセンブリ。
［９］  前記第１の協同構成は、前記収容構造を備え、
前記第２の協同構成は、前記フック部を備える、［８］に記載の固定アセンブリ。
［１０］  前記収容構造は、一対の対向側部と、前記対向側部間に伸長する架橋部とを備える、［８］又は［９］に記載の固定アセンブリ。
［１１］  前記収容構造は、前記第２の協同構成を収容するための開口を規定する、実質的にＵ字形の部材を備えてよい、［８］、［９］、又は［１０］に記載の固定アセンブリ。
［１２］  前記本体は、細長い部材に対して貫通路を規定し、
前記本体は、前記貫通路に向かって伸張するガイド構造を含み、
前記クランプ構成は、前記貫通路中に前記細長い部材をクランプするための、前記貫通路に向かって前記ガイド構造に沿って移動可能なクランプ部材を備え、
前記クランプ構成は、前記貫通路に向かって前記クランプ部材を付勢するための付勢部材をさらに含む、［６］から［１１］のうちのいずれか一項に記載の固定アセンブリ。
［１３］  前記本体は、前記貫通路と通じる空間を規定し、
前記ガイド構造は、前記空間に沿って伸張する前記空間の壁を構成し、
前記ガイド構造は、前記貫通路に対して傾斜している、［１２］に記載の固定アセンブリ。
［１４］  前記本体は係合壁を備え、
前記貫通路は前記係合壁に沿って伸長し、
前記クランプ部材は、前記係合壁に対して前記細長い部材をクランプするように、前記係合壁に向かって付勢手段によって付勢される、［１２］又は［１３］に記載の固定アセンブリ。
［１５］  前記支持構成は、支持部材と前記支持部材上の少なくとも１つの第２の構造とを備える、［６］から［１４］のうちのいずれか一項に記載の固定アセンブリ。
［１６］  前記支持構成は、前記支持部材上に複数の前記第２の協同構成を備え、
前記第２の協同構成は、前記支持部材上に実質的に垂直アレイで構成され得る、［１５］に記載の固定アセンブリ。
［１７］  各第２の構造は前記支持部材により一体的に形成される、［１６］に記載の固定アセンブリ。
［１８］  前記支持構成は、据え付け部材と前記据え付け部材上の第２の協同構成とを備え、
前記据え付け部材は、支持部材に締結されることができる、［６］から［１４］のうちのいずれか一項に記載の固定アセンブリ。
［１９］  複数の前記支持構成は、前記支持部材に締結されることができ、
前記複数の支持構成は、前記支持部材上に実質的に垂直アレイで構成される、［１８］に記載の固定アセンブリ。
［２０］  前記第２の協同構成は、前記第１の協同構成を保持するための対向凹部を規定するフック部を備える、［１８］又は［１９］に記載の固定アセンブリ。
［２１］  前記第２の協同構成は、前記据え付け部材から上方向に伸長している、［１８］、［１９］又は［２０］に記載の固定アセンブリ。
［２２］  前記第２の協同構成は、前記据え付け部材の上端から伸長し得る、［２１］に記載の固定アセンブリ。
［２３］  破損から前記細長い部材を保護するための保護装置をさらに含み、
前記保護装置は、主要部と、溝構成を通して前記細長い部材を収容するための前記主要部上の溝構成とを備える、［６］から［２２］のうちのいずれか一項に記載の固定アセンブリ。
［２４］  前記溝構成は、前記細長い部材の第１の領域を収容するための第１の溝部と、
前記細長い部材の第２の領域を収容するための第２の溝部を備える、［２３］に記載の固定アセンブリ。
［２５］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［２４］に記載の固定アセンブリ。
［２６］  前記第１及び第２の溝部は互いに整列され、
前記第１の溝部は、その間に間隙を規定するように前記第２の溝部から間を空けている、［２４］又は［２５］に記載の固定アセンブリ。
［２７］  前記保護装置は、前記２つの端支持構成間の中間支持構成上で、前記第２の協同構成のうちの選択した１つと協同するように、前記主要部上に前記第１の協同構成のうちの１つを含む、［２３］から［２６］のうちのいずれか一項に記載の固定アセンブリ。
［２８］  前記固定アセンブリは、前記端支持構成間に複数の中間支持構成を備え、
前記固定アセンブリは、複数の前記保護装置をさらに含み、
各保護装置は、前記細長い部材をそれぞれの支持構成に固定する、［２３］から［２７］のうちのいずれか一項に記載の固定アセンブリ。
［２９］  破損から細長い部材を保護するための保護装置において、
前記保護装置は、主要部と前記細長い部材を収容するための主要部上の溝構成とを備え、
前記溝構成は、前記細長い部材の第１の領域を収容するための第１の溝部と、前記細長い部材の第２の領域を収容するための第２の溝部とを備える、
保護装置。
［３０］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［２９］に記載の保護装置。
［３１］  前記第１及び第２の溝部は互いに整列され、
前記第１の溝部は、その間に間隙を規定するように前記第２の溝部から間を空けている、［２９］又は［３０］に記載の保護装置。
［３２］  前記保護装置は、前記２つの端支持構成間の中間支持構成上で第２の協同構成のうちの選択した１つと協同するように、前記主要部上に第１の協同構成のうちの１つを含む、［２９］、［３０］又は［３１］に記載の保護装置。
［３３］  ［６］に記載の固定アセンブリで使用するための支持構成において、
前記支持構成は、据え付け部材とクランプ装置上で第１の協同構成と協同するための前記据え付け部材上の第２の協同構成とを備え、
前記据え付け部材は、支持部に締結されることができる、支持構成。
［３４］  前記第２の協同構成は、前記第１の協同構成を保持するための対向凹部を規定するフック部を備える、［３３］に記載の固定アセンブリ。
［３５］  前記第２の協同構成は、前記据え付け部材から上方向に伸長している、［３３］又は［３４］に記載の固定アセンブリ。
［３６］  前記第２の協同構成は、前記据え付け部材の上端から伸長している、［３５］に記載の固定アセンブリ。
［３７］  ［６］に記載の固定アセンブリを使用する方法において、前記方法は、
細長い部材とクランプ装置を提供することと、
前記クランプ装置を前記細長い部材の一端領域に固定することと、ここで、前記クランプ装置は、第１の協同構成を有し、
垂直アレイ中で構成された複数の第２の協同構成を有する支持構成を提供することと、
前記第１及び選択した第２の協同構成間の協同をもたらすことにより、前記第２の協同構成のうちの選択した１つの上で前記クランプ装置を支持することと、
前記第１及び他の選択した第２の協同構成間の協同をもたらすことにより、前記クランプ装置を別の選択した第２の協同構成に動かすこととを備える、方法。
［３８］  前記方法は、２つのクランプ装置を提供することと、
前記細長い部材のそれぞれの対向端領域において、各クランプ装置を固定することとを備え、
各クランプ装置は、それぞれ第１の協同構成を有する、［３７］に記載の方法。
［３９］  前記方法は、２つの支持構成を提供することと、ここで、それぞれは、垂直アレイで構成された複数の前記第２の協同構成を有し、
前記それぞれの第１及び選択した第２の協同構成間の協同をもたらすことにより、前記それぞれの支持構成の前記第２の協同構成のうちの選択した１つの上で各クランプ装置を支持することとを備える、［３８］に記載の方法。
［４０］  前記方法は、前記第１及び選択したさらなる第２の協同構成の間の協同をもたらすことにより、前記それぞれの選択したさらなる第２の協同構成上で各クランプ装置を支持するために、各クランプ装置を前記選択したさらなる第２の協同構成に動かすことを備える、［３８］又は［３９］に記載の方法。
［４１］  前記方法は、破損から前記細長い部材を保護するための保護装置を提供することを備え、
前記保護装置は、主要部と、溝構成を通して前記細長い部材を収容するための前記主要部上の溝構成とを備える、［３７］から［４０］のうちのいずれか一項に記載の方法。
［４２］  前記溝構成は、前記細長い部材の第１の領域を収容するための第１の溝部と、前記細長い部材の第２の領域を収容するための第２の溝部を備える、［４１］に記載の方法。
［４３］  前記第１の溝部は、前記細長い部材の前記第１の領域を収容するために、前記主要部の第１の側に沿って第１の細長い開きを有し、
前記第２の溝部は、前記細長い部材の前記第１の領域を収容するために、前記主要部の第２の側である対向側に沿って第２の細長い開きを有し、
前記第１及び第２の細長い開きは、反対方向に面している、［４２］に記載の方法。
［４４］  前記第１及び第２の溝部は互いに整列され、
前記第１の溝部は、その間に間隙を規定するように前記第２の溝部から間を空けている、［４２］又は［４３］に記載の方法。
［４５］  前記保護装置は、前記２つの端支持構成間で、中間支持構成上で前記第２の協同構成のうちの選択した１つと協同するように、前記主要部上に前記第１の協同構成のうちの１つを含む、［４１］から［４４］のうちのいずれか一項に記載の方法。
［４６］  前記方法は、
複数の保護装置を提供することと、
前記保護装置を前記細長い部材の空間を空けた領域に据え付けることと、
複数の中間支持構成を提供することとを備え、
それぞれは、垂直アレイで構成された複数の前記第２の協同構成を有する、［４１］から［４５］のうちのいずれか一項に記載の方法。
［４７］  前記方法は、前記それぞれの第１及び前記選択した第２の協同構成間の協同をもたらすことにより、前記それぞれの中間支持構成の前記第２の協同構成のうちの選択した１つの上で各クランプ装置を支持することを含む、［４６］に記載の方法。
［４８］  前記方法は、前記第１及び選択したさらなる第２の協同構成の間の協同をもたらすことにより、前記それぞれの選択したさらなる第２の協同構成上で各保護装置を支持するために、各保護装置を前記選択したさらなる第２の協同構成に動かすことをさらに含む、［４７］に記載の方法。
［４９］  実質的に、添付図面の図１、３、４、及び８を参照してここで説明したような固定装置。
［５０］  実質的に、添付図面の図１、３、４、及び６から１１を参照してここで説明したような固定アセンブリ。
［５１］  実質的に、添付図面の図２、３、及び７から１１を参照してここで説明したような固定アセンブリ。
［５２］  実質的に、添付図面の図３、７、８、及び９から１４を参照してここで説明したような固定アセンブリ。
［５３］  実質的に、添付図面の図７、及び９から１１を参照してここで説明したような保護装置。
［５４］  実質的に、添付図面の図１、３、４、及び６から１１を参照してここで説明したような、［３３］から［４４］のうちのいずれか一項に記載の方法。
［５５］  実質的に、添付図面の図２、３、及び７から１１を参照してここで説明したような、［３３］から［４４］のうちのいずれか一項に記載の方法。
［５６］  実質的に、添付図面の図３、７、８、及び９から１４を参照してここで説明したような、［３３］から［４４］のうちのいずれか一項に記載の方法。
【図１】
0006724012.tif 000002
【図２】
0006724012.tif 000003
【図３】
0006724012.tif 000004
【図４】
0006724012.tif 000005
【図５】
0006724012.tif 000006
【図６】
0006724012.tif 000007
【図７】
0006724012.tif 000008
【図８】
0006724012.tif 000009
【図９】
0006724012.tif 000010
【図１０】
0006724012.tif 000011
【図１１】
0006724012.tif 000012
【図１２】
0006724012.tif 000013
【図１３】
0006724012.tif 000014
【図１４】
0006724012.tif 000015